(57)【要約】  デジタルオーディオ放送でビデオサービスを提供して受信する方法及びその装置を提供する。デジタルオーディオ放送でのビデオサービスの提供方法において、提供されるビデオサービスストリームの符号化方式を表すプロファイルＩＤと、提供されるビデオサービスストリームの種類を表すプログラムタイプ情報をサービスデータチャンネルとは区別される高速情報チャンネルに含めるステップと、ビデオサービスストリームが含まれるサービスデータチャンネル及び高速情報チャンネルを伝送フレームに多重化して送信するステップと、を含むビデオサービスの提供方法である。これにより、デジタルオーディオ放送受信装置を使用するユーザが、所望のタイプのプログラムを容易に検索及び選択してサービスを提供されうる。
2009518937.tif 000002
【特許請求の範囲】
【請求項１】
デジタルオーディオ放送でのビデオサービスの提供方法において、
提供されるビデオサービスストリームの符号化方式を表すプロファイルＩＤと、前記提供されるビデオサービスストリームの種類を表すプログラムタイプ情報をサービスデータチャンネルとは区別される高速情報チャンネルに含めるステップと、
前記ビデオサービスストリームが含まれたサービスデータチャンネル及び前記高速情報チャンネルを伝送フレームに多重化して送信するステップと、を含むことを特徴とするビデオサービスの提供方法。
【請求項２】
前記伝送フレームは、デジタルオーディオ放送伝送フレームであり、
前記ビデオサービスストリームは、ビデオデータストリーム、オーディオデータストリーム、またはオーディオ及びビデオデータストリームを含むことを特徴とする請求項１に記載のビデオサービスの提供方法。
【請求項３】
前記プロファイルＩＤは、ビデオコーディング方式を表す情報を含むことを特徴とする請求項１に記載のビデオサービスの提供方法。
【請求項４】
前記高速情報チャンネルは、
所定の大きさのＦＩＢで構成されており、ＦＩＢをなすデータフィールドは、少なくとも一つ以上のＦＩＧで構成されることを特徴とする請求項１に記載のビデオサービスの提供方法。
【請求項５】
前記高速情報チャンネルは、
所定の大きさのＦＩＢで構成されており、ＦＩＢをなすデータフィールドは、少なくとも一つ以上のＦＩＧで構成されており、前記プロファイルＩＤと前記プログラムタイプ情報とは、一つのＦＩＧに含まれていることを特徴とする請求項１に記載のビデオサービスの提供方法。
【請求項６】
デジタルオーディオ放送でのビデオサービスの受信方法において、
デジタルオーディオ放送伝送フレームを受信し、該受信されたデジタルオーディオ放送伝送フレームのうち、高速情報チャンネルに含まれたプロファイルＩＤ及びプログラムタイプ情報から受信される符号化されたビデオストリームの符号化方式及びプログラムタイプ情報を解析するステップと、
前記解析結果によって、前記伝送フレームを構成し、前記高速情報チャンネルとは区別されるサービスデータチャンネルに含まれた符号化されたビデオサービスストリームの復号化を行うステップと、を含むことを特徴とするビデオサービスの受信方法。
【請求項７】
前記ビデオサービスストリームは、オーディオデータストリーム、ビデオデータストリーム、またはオーディオ及びビデオデータストリームを含むことを特徴とする請求項６に記載のビデオサービスの受信方法。
【請求項８】
前記プロファイルＩＤは、ビデオコーディング方式を表す情報を含むことを特徴とする請求項６に記載のビデオサービスの受信方法。
【請求項９】
前記高速情報チャンネルは、
所定の大きさのＦＩＢで構成されており、ＦＩＢをなすデータフィールドは、少なくとも一つ以上のＦＩＧで構成されることを特徴とする請求項６に記載のビデオサービスの受信方法。
【請求項１０】
前記高速情報チャンネルは、
所定の大きさのＦＩＢで構成されており、ＦＩＢをなすデータフィールドは、少なくとも一つ以上のＦＩＧで構成されており、前記プロファイルＩＤと前記プログラムタイプ情報とは、一つのＦＩＧに含まれていることを特徴とする請求項６に記載のビデオサービスの受信方法。
【請求項１１】
デジタルオーディオ放送でのビデオサービス処理装置において、
デジタルオーディオ放送伝送フレームを受信し、該受信されたデジタルオーディオ放送伝送フレームのうち、サービスデータチャンネルとは区別される高速情報チャンネルに含まれたプロファイルＩＤ及びプログラムタイプ情報から受信される符号化されたビデオストリームの符号化方式及びプログラムタイプ情報を解析する解析部と、
前記解析された符号化方式及びプログラムタイプによって、前記伝送フレームを構成し、前記高速情報チャンネルとは区別されるサービスデータチャンネルに含まれた符号化されたビデオサービスストリームの復号化を行うためのデコーダを駆動するビデオサービスデコーダ駆動部と、を備えることを特徴とするビデオサービス処理装置。
【請求項１２】
前記ビデオサービスストリームは、オーディオデータストリーム、ビデオデータストリーム、またはオーディオ及びビデオデータストリームを含むことを特徴とする請求項１１に記載のビデオサービス処理装置。
【請求項１３】
前記プロファイルＩＤは、ビデオコーディング方式を表す情報を含むことを特徴とする請求項１１に記載のビデオサービス処理装置。
【請求項１４】
デジタルオーディオ放送でのビデオサービスを提供するための伝送器において、
所定の符号化方式によって前記ビデオサービスをサービスデータチャンネルに提供されるビデオサービスストリームに符号化するエンコーダと、
前記提供されるビデオサービスストリームを符号化するために使われた符号化方式を表すプロファイルＩＤと高速情報チャンネルに提供されるビデオサービスの種類を表すプログラムタイプ情報とを生成する高速情報チャンネル処理部と、を備え、
前記サービスデータチャンネルは、前記高速情報チャンネルと区別され、前記プロファイルＩＤによって決定される符号化方式によって符号化されたビデオサービスストリームを含み、
前記伝送器は、前記ビデオサービスストリームを含むサービスデータチャンネルと、前記プロファイルＩＤ及び前記プログラムタイプ情報を含む高速情報チャンネルを伝送データフレームとに伝送することを特徴とする伝送器。
【請求項１５】
前記ビデオサービスストリームは、オーディオデータストリーム、ビデオデータストリーム、またはオーディオ及びビデオデータストリームを含むことを特徴とする請求項１４に記載の伝送器。
【請求項１６】
前記プロファイルＩＤは、ビデオコーディング方式を表す情報を含むことを特徴とする請求項１４に記載の伝送器。
【請求項１７】
前記高速情報チャンネルは、
所定の大きさのＦＩＢで構成されており、ＦＩＢをなすデータフィールドは、少なくとも一つ以上のＦＩＧで構成されることを特徴とする請求項１４に記載の伝送器。
【請求項１８】
前記高速情報チャンネルは、
所定の大きさのＦＩＢで構成されており、ＦＩＢをなすデータフィールドは、少なくとも一つ以上のＦＩＧで構成されており、前記プロファイルＩＤと前記プログラムタイプ情報とは、一つのＦＩＧに含まれていることを特徴とする請求項１４に記載の伝送器。
【請求項１９】
デジタルオーディオ放送でのビデオサービスの提供方法において、
提供されるビデオサービスストリームの主要素を表す情報をサービスデータチャンネルとは異なる所定のチャンネルに含めるステップと、
前記ビデオサービスストリームが含まれるサービスデータチャンネル及び前記所定のチャンネルを伝送フレームに多重化して送信するステップと、を含むことを特徴とするビデオサービスの提供方法。
【請求項２０】
前記伝送フレームは、デジタルオーディオ放送伝送フレームであり、
前記ビデオサービスストリームは、ビデオデータストリーム、オーディオデータストリーム、またはオーディオ及びビデオデータストリームを含むことを特徴とする請求項１９に記載のビデオサービスの提供方法。
【請求項２１】
前記ビデオサービスストリームの主要素を表す情報は、ビデオサービスの主要素がオーディオであるかビデオであるかを区分する情報であることを特徴とする請求項１９に記載のビデオサービスの提供方法。
【請求項２２】
前記所定のチャンネルは、高速情報チャンネルであり、
前記ビデオサービスストリームの主要素を表す情報は、前記提供されるビデオサービスストリームの符号化方式を表すプロファイルＩＤと共に、デジタルオーディオ放送伝送フレームの高速情報チャンネルに含まれることを特徴とする請求項１９に記載のビデオサービスの提供方法。
【請求項２３】
前記プロファイルＩＤは、ビデオコーディング方式及びオーディオコーディング方式を表す情報を含むことを特徴とする請求項２２に記載のビデオサービスの提供方法。
【請求項２４】
前記高速情報チャンネルは、
所定の大きさのＦＩＢで構成されており、ＦＩＢをなすデータフィールドは、少なくとも一つ以上のＦＩＧで構成されており、前記ビデオサービスストリームの主要素を表す情報及び前記提供されるビデオサービスストリームの符号化方式を表すプロファイルＩＤは、一つのＦＩＧに含まれていることを特徴とする請求項２２に記載のビデオサービスの提供方法。
【請求項２５】
前記ＦＩＧは、
ビデオサービスに使われたエラー強化方式に該当するタイプを記録するデータサービスコンポーネントタイプフィールドを含むことを特徴とする請求項２４に記載のビデオサービスの提供方法。
【請求項２６】
デジタルオーディオ放送でのビデオサービスの受信方法において、
デジタルオーディオ放送伝送フレームを受信し、該受信されたデジタルオーディオ放送伝送フレームのうち、サービスデータチャンネルとは区別される所定のチャンネルに含まれた、提供されるビデオサービスストリームの主要素を表す情報を解析するステップと、
前記解析された符号化方式及びプログラムタイプによって、前記ビデオサービスストリームに含まれたストリームに対して選択的な復号化を行うステップと、を含むことを特徴とするビデオサービスの受信方法。
【請求項２７】
前記ビデオサービスストリームは、オーディオデータストリーム、ビデオデータストリーム、またはオーディオ及びビデオデータストリームを含むことを特徴とする請求項２６に記載のビデオサービスの受信方法。
【請求項２８】
前記伝送フレームは、デジタルオーディオ放送伝送フレームであり、
前記ビデオサービスストリームのエンコーディングに関する情報及びパケット化に関する情報は、デジタルオーディオ放送伝送フレームのうち高速情報チャンネルを通じて受信することを特徴とする請求項２６に記載のビデオサービスの受信方法。
【請求項２９】
前記高速情報チャンネルは、
所定の大きさのＦＩＢブロックで構成されており、ＦＩＢをなすデータフィールドは、少なくとも一つ以上のＦＩＧで構成されており、前記ビデオサービスストリームのエンコーディングに関する情報及びパケット化に関する情報は、一つ以上のＦＩＧに含まれていることを特徴とする請求項２８に記載のビデオサービスの受信方法。
【請求項３０】
前記ビデオサービスの主要素を表す情報は、前記提供されるビデオサービスストリームの符号化方式を表すプロファイルＩＤと共に、デジタルオーディオ放送伝送フレームの高速情報チャンネルに含まれることを特徴とする請求項２９に記載のビデオサービスの受信方法。
【請求項３１】
前記ビデオサービスの主要素を表す情報は、前記ビデオサービスの主要素がオーディオであることを表す場合、前記ビデオサービスストリームに含まれたデータストリームのうち、オーディオデータストリームのみをデコーディングすることを特徴とする請求項２６に記載のビデオサービスの受信方法。
【請求項３２】
前記ビデオサービスの主要素を表す情報は、前記ビデオサービスの主要素がオーディオであることを表す場合、前記ビデオサービスストリームに含まれたデータストリームのうち、ビデオデータは、選択的にデコーディングすることを特徴とする請求項２６に記載のビデオサービスの受信方法。
【請求項３３】
前記ビデオサービスの主要素を表す情報は、前記ビデオサービスの主要素がオーディオであることを表す場合、前記プロファイルＩＤで特定されるオーディオデコーダを通じてオーディオデータのみをデコーディングすることを特徴とする請求項２６に記載のビデオサービスの受信方法。
【請求項３４】
デジタルオーディオ放送でのビデオサービス処理装置において、
デジタルオーディオ放送伝送フレームを受信し、該受信されたデジタルオーディオ放送伝送フレームのうち、サービスデータチャンネルとは区別される所定のチャンネルに含まれた、提供されるビデオサービスストリームの主要素を表す情報を解析する解析部と、
前記解析された符号化方式及びプログラムタイプによって、前記ビデオサービスストリームに含まれたストリームに対して選択的な復号化を行うためのデコーダを駆動するビデオサービスデコーダ駆動部と、を備えることを特徴とするビデオサービス処理装置。
【請求項３５】
前記ビデオサービスストリームは、オーディオデータストリーム、ビデオデータストリーム、またはオーディオ及びビデオデータストリームを含むことを特徴とする請求項３４に記載のビデオサービス処理装置。
【請求項３６】
前記伝送フレームは、デジタルオーディオ放送伝送フレームであり、
前記ビデオサービスストリームのエンコーディングに関する情報及びパケット化に関する情報は、デジタルオーディオ放送伝送フレームのうち高速情報チャンネルを通じて受信することを特徴とする請求項３４に記載のビデオサービス処理装置。
【請求項３７】
デジタルオーディオ放送でのビデオサービスを提供するための伝送器において、
高速情報チャンネルに提供されるビデオサービスストリームの主要素を表す情報を生成する高速情報チャンネル部と、
サービスデータチャンネルに提供されるビデオサービスストリームを処理するサービスデータチャンネル処理部と、を備え、
前記伝送器は、前記ビデオサービスストリームを含む前記サービスデータチャンネルと、プログラムＩＤとプログラムタイプ情報とを含む高速情報チャンネルを伝送データフレームとに伝送することを特徴とする伝送器。
【請求項３８】
前記ビデオサービスストリームは、オーディオデータストリーム、ビデオデータストリーム、またはオーディオ及びビデオデータストリームを含むことを特徴とする請求項３７に記載の伝送器。
【請求項３９】
前記高速情報チャンネルに提供されるビデオサービスストリームの符号化方式を表すプロファイルＩＤがさらに含まれることを特徴とする請求項３７に記載の伝送器。
【請求項４０】
提供されるビデオサービスストリームの符号化方式を表すプロファイルＩＤと、前記提供されるビデオサービスストリームの種類を表すプログラムタイプ情報をサービスデータチャンネルとは区別される高速情報チャンネルに含めるステップと、
前記ビデオサービスストリームが含まれるサービスデータチャンネル及び前記高速情報チャンネルを伝送フレームに多重化して送信するステップと、を含むことを特徴とするデジタルオーディオ放送でのビデオサービスの提供方法をコンピュータで実行させるためのプログラムが記録されたコンピュータで読み取り可能な記録媒体。
【請求項４１】
デジタルオーディオ放送伝送フレームを受信し、該受信されたデジタルオーディオ放送伝送フレームのうち、高速情報チャンネルに含まれたプロファイルＩＤ及びプログラムタイプ情報から受信される符号化されたビデオストリームの符号化方式及びプログラムタイプ情報を解析するステップと、
前記解析結果によって、前記伝送フレームを構成し、前記高速情報チャンネルとは区別されるサービスデータチャンネルに含まれた符号化されたビデオサービスストリームの復号化を行うステップと、を含むことを特徴とするデジタルオーディオ放送でのビデオサービスの受信方法をコンピュータで実行させるためのプログラムが記録されたコンピュータで読み取り可能な記録媒体。
【請求項４２】
提供されるビデオサービスストリームの主要素を表す情報をサービスデータチャンネルとは異なる所定のチャンネルに含めるステップと、
前記ビデオサービスストリームが含まれるサービスデータチャンネル及び前記所定のチャンネルを伝送フレームに多重化して送信するステップと、を含むことを特徴とするデジタルオーディオ放送でのビデオサービスの提供方法をコンピュータで実行させるためのプログラムが記録されたコンピュータで読み取り可能な記録媒体。
【請求項４３】
デジタルオーディオ放送伝送フレームを受信し、該受信されたデジタルオーディオ放送伝送フレームのうち、サービスデータチャンネルとは区別される所定のチャンネルに含まれた、提供されるビデオサービスストリームの主要素を表す情報を解析するステップと、
前記解析された符号化方式及びプログラムタイプによって、前記ビデオサービスストリームに含まれたストリームに対して選択的な復号化を行うステップと、を含むことを特徴とするデジタルオーディオ放送でのビデオサービスの受信方法をコンピュータで実行させるためのプログラムが記録されたコンピュータで読み取り可能な記録媒体。
【発明の詳細な説明】
【技術分野】
【０００１】
本発明と関連した装置及び方法は、デジタルオーディオ放送（Ｄｉｇｉｔａｌ  Ａｕｄｉｏ  Ｂｒｏａｄｃａｓｔｉｎｇ：ＤＡＢ）に係り、さらに詳細には、ＤＡＢでビデオサービスを提供して受信する方法及びその装置に関する。
【背景技術】
【０００２】
アナログオーディオ放送は、その受信装置の移動時に受信信号の品質が急に低下し、ノイズの影響を減らすために、高い送信電力を使用するため、電力効率がよくなく、チャンネル間の干渉を避けるために、近隣地域で他の周波数を使用するため、スペクトル効率が悪いという技術的な限界を有している。これにより、従来のＡＭ（Ａｍｐｌｉｔｕｄｅ  Ｍｏｄｕｌａｔｉｏｎ）、ＦＭ（Ｆｒｅｑｕｅｎｃｙ  Ｍｏｄｕｌａｔｉｏｎ）ラジオ放送を代替しうるＤＡＢに対する研究が進められてきたが、これに関する標準としてＥＴＳＩ（Ｅｕｒｏｐｅａｎ  Ｔｅｌｅｃｏｍｍｕｎｉｃａｔｉｏｎ  Ｓｔａｎｄａｒｄｉｚａｔｉｏｎ  Ｉｎｓｔｉｔｕｔｅ）で作ったＥＴＳＩ  ＥＮ  ３００  ４０１文書がある。
【０００３】
この文書は、ＥＵＲＥＫＡ−１４７とも呼ばれ、約２ＭＨｚの帯域幅にＭｏｖｉｎｇ  Ｐｉｃｔｕｒｅ  Ｅｘｐｅｒｔｓ  Ｇｒｏｕｐ（ＭＰＥＧ）−１オーディオレイヤＩＩによる高音質オーディオ圧縮機術を使用して、コンパクトディスク（Ｃｏｍｐａｃｔ  Ｄｉｓｃ：ＣＤ）レベルのオーディオサービス及び多様な付加サービスを提供することについて記述している。そして、制限された帯域幅及び与えられたチャンネル環境下で、多数のオーディオ及びデータを最適のデータ率で伝送するために、オーディオデータは、ＵＥＰ（Ｕｎｅｑｕａｌ  Ｅｒｒｏｒ  Ｐｒｏｔｅｃｔｉｏｎ）方法を使用し、データは、ＥＥＰ（Ｅｑｕａｌ  Ｅｒｒｏｒ  Ｐｒｏｔｅｃｔｉｏｎ）方法を使用してエラーを補正する。
【０００４】
一方、ＤＡＢは、高品質に作られた複数のチャンネルのオーディオを伝送しうるだけではなく、多様な付加データを伝送しうる。付加データの例としては、静止画像、動画、グラフィックなどがあり、このような付加データを伝送することによって提供しうるマルチメディアサービスの例としては、旅行及び交通情報提供サービス、ニュースのヘッドライン文字と画像とを結合して示すか、または天気予報及び交通情報を電子地図と結合して示すなどのプログラム連動情報提供サービス、ウェブサイト放送やＤＡＢ用ＧＰＳ（Ｇｌｏｂａｌ  Ｐｏｓｉｔｉｏｎｉｎｇ  Ｓｙｓｔｅｍ）のようなプログラムと関係ない独立情報サービス、動画伝送サービスがある。
【０００５】
これらのサービスのうち、オーディオサービス、パケットモードデータサービス及びストリームモードデータサービスは、ＤＡＢ規格（ＥＴＳＩ  ＥＮ  ３００  ４０１）によって提供されるが、ストリームモードデータサービスを使用するビデオサービスは、ＤＡＢ規格で決定されたところがないため、ビデオデータを送信または受信するために、ＤＡＢ規格を修正または追加して、その処理方法を規定せねばならない。それは、このように規格が決定されていない場合には、放送社の送信方式と受信機の受信方式とに対して個別的な規定を事前に約束してサービスせねばならないが、このような私設規定に準じない受信機の場合には、ＤＡＢストリームモードを通じてビデオサービスを提供されないためである。
【０００６】
また、ビデオサービスが、主サービスチャンネルであるストリームモードデータサービスを使用して提供される場合、一般的に、ビデオサービスストリーム内にビデオサービス関連エンコーディングパラメータ及びそのビデオデータがいかなる方式でパケット化されているかという情報が含まれている。したがって、ＤＡＢの主サービスチャンネルをデコーディングしてビデオサービスに関連したデータがいかなるパラメータでエンコーディングされており、そのビデオデータがどのようにパケット化されているかを知ってこそビデオサービスを自然に提供される。
【発明の開示】
【発明が解決しようとする課題】
【０００７】
本発明が解決しようとする技術的課題は、ＤＡＢでのストリームモードを通じてビデオサービスを提供できるビデオサービス提供及び受信方法、その装置を提供することである。
【課題を解決するための手段】
【０００８】
前記課題は、本発明によって、ＤＡＢでのビデオサービスの提供方法において、提供されるビデオサービスストリームの符号化方式を表すプロファイルＩＤと、前記提供されるビデオサービスストリームの種類を表すプログラムタイプ情報をサービスデータチャンネルとは区別される高速情報チャンネルに含めるステップと、前記サービスデータチャンネル及び前記高速情報チャンネルを伝送のための伝送フレームに多重化して送信するステップと、を含むビデオサービスの提供方法によって達成される。
【０００９】
前記伝送フレームは、ＤＡＢ伝送フレームであり、前記ビデオサービスストリームは、ビデオデータストリーム、オーディオデータストリーム、またはオーディオ及びビデオデータストリームを含むことが望ましい。
【００１０】
前記プロファイルＩＤは、ビデオコーディング方式を表す情報を含むことが望ましい。
【００１１】
前記高速情報チャンネルは、所定の大きさのＦＩＢ（Ｆａｓｔ  Ｉｎｆｏｒｍａｔｉｏｎ  Ｂｌｏｃｋ）で構成されており、ＦＩＢをなすデータフィールドは、少なくとも一つ以上のＦＩＧ（Ｆａｓｔ  Ｉｎｆｏｒｍａｔｉｏｎ  Ｇｒｏｕｐ）で構成されることが望ましい。
【００１２】
前記高速情報チャンネルは、所定の大きさのＦＩＢで構成されており、ＦＩＢをなすデータフィールドは、少なくとも一つ以上のＦＩＧで構成されており、前記プロファイルＩＤと前記プログラムタイプ情報とは、一つのＦＩＧに含まれていることが望ましい。
【００１３】
また、前記課題は、ＤＡＢでのビデオサービスの受信方法において、ＤＡＢ伝送フレームを受信し、該受信されたＤＡＢ伝送フレームのうち、高速情報チャンネルに含まれたプロファイルＩＤ及びプログラムタイプ情報から受信される符号化されたビデオストリームの符号化方式及びプログラムタイプ情報を解析するステップと、前記解析された符号化方式及びプログラムタイプによって、前記高速情報チャンネルとは区別されるサービスデータチャンネルに含まれた符号化されたビデオサービスストリームの復号化を行うステップとを含むことを特徴とするビデオサービスの受信方法によっても達成される。
【００１４】
また、前記課題は、ＤＡＢでのビデオサービス処理装置において、ＤＡＢ伝送フレームを受信し、該受信されたＤＡＢ伝送フレームのうち、サービスデータチャンネルとは区別される高速情報チャンネルに含まれたプロファイルＩＤ及びプログラムタイプ情報から受信される符号化されたビデオストリームの符号化方式及びプログラムタイプ情報を解析する解析部と、前記解析された符号化方式及びプログラムタイプによって、前記高速情報チャンネルとは区別されるサービスデータチャンネルに含まれた符号化されたビデオサービスストリームの復号化を行うためのデコーダを駆動するビデオサービスデコーダ駆動部と、を備えることを特徴とするビデオサービス処理装置によっても達成される。
【００１５】
また、前記課題は、ＤＡＢでのビデオサービスを提供するための伝送器において、所定の符号化方式によってサービスデータチャンネルから提供されるビデオデータサービスストリームとして、前記ビデオサービスをエンコーディングするエンコーダと、前記提供されたビデオサービスストリームを符号化するために使われた符号化方式を表すプロファイルＩＤと高速情報チャンネルから提供されるビデオサービスストリームの種類を表すプログラムタイプ情報とを生成する高速情報チャンネル処理部と、を備え、前記サービスデータチャンネルは、前記高速情報チャンネルと区別され、前記プロファイルＩＤによって決定される符号化方式によって符号化されたビデオサービスストリームが含まれ、前記伝送器は、ビデオサービスストリームを含むサービスデータチャンネルと、前記プロファイルＩＤ及び前記プログラムタイプ情報を伝送データフレームとに伝送することを特徴とする伝送器によっても達成される。
【００１６】
また、前記課題は、ＤＡＢでのビデオサービスの提供方法において、提供されるビデオサービスストリームの主要素を表す情報をサービスデータチャンネルとは異なる所定のチャンネルに含めるステップと、前記サービスデータチャンネル及び前記所定のチャンネルを伝送のための伝送フレームに多重化して送信するステップと、を含むことを特徴とするビデオサービスの提供方法によっても達成される。
【００１７】
また、前記課題は、ＤＡＢでのビデオサービスの受信方法において、ＤＡＢ伝送フレームを受信し、該受信されたＤＡＢ伝送フレームのうち、サービスデータチャンネルとは区別される所定のチャンネルに含まれた、提供されるビデオサービスストリームの主要素を表す情報を解析するステップと、前記解析された符号化方式及びプログラムタイプによって前記ビデオサービスストリームに含まれたストリームに対して選択的な復号化を行うステップと、を含むことを特徴とするビデオサービスの受信方法によっても達成される。
【００１８】
また、前記課題は、ＤＡＢでのビデオサービス処理装置において、ＤＡＢ伝送フレームを受信し、該受信されたＤＡＢ伝送フレームのうち、サービスデータチャンネルとは区別される所定のチャンネルに含まれた、提供されるビデオサービスストリームの主要素を表す情報を解析する解析部と、前記解析された符号化方式及びプログラムタイプによって、前記ビデオサービスストリームに含まれたストリームに対して選択的な復号化を行うためのデコーダを駆動するビデオサービスデコーダ駆動部と、を備えることを特徴とするビデオサービス処理装置によっても達成される。
【００１９】
また、前記課題は、ＤＡＢでのビデオサービスを提供するための伝送器において、高速情報チャンネルに提供されるビデオサービスストリームの主要素を表す情報を生成する高速情報チャンネル処理部と、サービスデータチャンネルに提供されるビデオサービスストリームを処理するサービスデータチャンネル処理部と、を備え、前記伝送器は、前記ビデオサービスストリームを含む前記サービスデータチャンネル及びプロファイルＩＤ及びプログラムタイプ情報を含む高速情報チャンネルを伝送データフレームに伝送することを特徴とする伝送器によっても達成される。
【発明の効果】
【００２０】
本発明によれば、プロファイルＩＤ情報と共に、プログラムタイプ情報を高速情報チャンネルに含めて伝送することによって、ＤＡＢ受信装置を使用するユーザが、所望のタイプのプログラムを容易に検索及び選択してサービスを提供されうる。
【００２１】
また、ビデオサービスの主要素を特定する情報を高速情報チャンネルに含めて伝送することによって、受信機装置のデコーディング効率及び提供されるビデオサービスに対するユーザによる選択の幅をさらに広げうる。
【発明を実施するための最良の形態】
【００２２】
以下、添付された図面を参照して本発明の望ましい実施例について詳細に説明する。
【００２３】
図１は、ビデオサービスを提供するＤＡＢシステムの送信側構成図である。
【００２４】
ＤＡＢシステムは、基本的なオーディオサービスデータだけではなく、ビデオサービスデータ及び付加サービスデータも伝送する。したがって、ビデオサービスエンコーダ１１０、オーディオサービスエンコーダ１２０及び付加データサービスエンコーダ１３０を備える。放送される音声、音楽のようなオーディオサービスデータは、オーディオサービスエンコーダ１２０に入力されてエンコーディング及びチャンネルコーディングが行われた後、ＭＳＣ（Ｍａｉｎ  Ｓｅｒｖｉｃｅ  Ｃｈａｎｎｅｌ）多重化部１４０に入力される。ＤＡＢシステムでは、複数のオーディオサービスが可能であるため、複数のオーディオサービスエンコーダ１２０が存在しうる。
【００２５】
オーディオを除外した文字情報、ウェブ情報などのデータは、パケットモードデータに分類され、これらのパケットモードデータは、付加データサービスエンコーダ１３０に入力されてエンコーディング及びチャンネルコーディングが行われた後、ＭＳＣ多重化部１４０に入力される。パケットモードデータサービスも複数個が存在しうるため、付加データサービスエンコーダ１３０も複数個が存在しうる。
【００２６】
ＤＡＢシステムでビデオサービスを構成する信号は、音声信号、画像信号及び付加データ信号がある。映画、ドラマ動画のような画像信号とこれと関連した付加データ（例えば、字幕データ）、または文字情報、交通情報、静止画像、ウェブ情報などのＤＡＢ規格のパケットモードデータに分類されたデータを含むビデオサービスデータは、ストリームモードデータに分類されて、ビデオサービスエンコーダ１１０に送られてストリームモードデータとしてエンコーディングされた後、チャンネルコーディングを経てＭＳＣ多重化部１４０に入力される。
【００２７】
ＭＳＣ多重化部１４０は、これらのオーディオサービス及びパケットモードデータサービス、そしてストリームモードデータサービスを多重化し、それぞれのサービスに関する付加情報と多重化情報とを合算した後、ここに同期情報を付けてＤＡＢ伝送フレームを作って出力する。このように作られたＤＡＢ伝送フレームは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調器１５０及び増幅器１６０を経てＶＨＦ（Ｖｅｒｙ  Ｈｉｇｈ  Ｆｒｅｑｕｅｎｃｙ）帯域の電波に載せられて伝送される。受信装置は、固定型や携帯型、移動型となりうる。
【００２８】
図２は、一つのＤＡＢアンサンブルを構成するサービス要素及びサブチャンネルの構成の一例を示す図である。
【００２９】
アンサンブル（Ｅｎｓｅｍｂｌｅ）は、複数個のエンコーディングされたオーディオストリーム及び複数個のデータストリームがそれぞれチャンネルコーディングを経た後、システムデータと共に一つのビットストリームに多重化されたことを称す。サービスは、プログラムサービスまたはデータサービスのように、ユーザによって選択される出力を称し、サービス要素は、サービスを構成する要素を称す。与えられたサービスのサービス要素は、多重化構成情報（Ｍｕｌｔｉｐｌｅｘ  Ｃｏｎｆｉｇｕｒａｔｉｏｎ  Ｉｎｆｏｒｍａｔｉｏｎ：ＭＣＩ）によって相互連結されている。それぞれのサービス要素は、サブチャンネル（Ｓｕｂ  Ｃｈａｎｎｅｌ：ＳｕｂＣｈ）または高速情報データチャンネル（Ｆａｓｔ  Ｉｎｆｏｒｍａｔｉｏｎ  Ｄａｔａ  Ｃｈａｎｎｅｌ：ＦＩＤＣ）に載せられて伝送される。
【００３０】
図２を参照するに、“ＤＡＢ ＥＮＳＥＭＢＬＥ ＯＮＥ”アンサンブルは、３個のサービスを有しており、それぞれのサービス名は、“ａｌｐｈａ１  ｒａｄｉｏ”、“ｂｅｔａ  ｒａｄｉｏ”、“ａｌｐｈａ２  ｒａｄｉｏ”であるということが分かる。これらのサービスは、再びそれぞれサービス要素を有するが、そのうち、“ａｌｐｈａ１  ｒａｄｉｏ”の場合、基本オーディオ、ＴＭＣ（Ｔｒａｆｆｉｃ  Ｍｅｓｓａｇｅ  Ｃｈａｎｎｅｌ）ｓｅｒｖｉｃｅ  ｃｏｍｐｏｎｅｎｔ（すなわち、ＡＬＰＨＡ−ＴＭＣ）、ＳＩ（Ｓｅｒｖｉｃｅ  Ｉｎｆｏｒｍａｔｉｏｎ）ｓｅｒｖｉｃｅ  ｃｏｍｐｏｎｅｎｔ（すなわち、ＡＬＰＨＡ−ＳＩ）というサービス要素を有する。そして、サービス要素は、それぞれサブチャンネルを通じて伝送される。例えば、“ａｌｐｈａ１  ｒａｄｉｏ”がスポーツサービスとすれば、これを中継放送するオーディオは、基本オーディオサービス要素に連結され、関連文字情報は、ＡＬＰＨＡ−ＴＭＣというサービス要素に、そして“ａｌｐｈａ１  ｒａｄｉｏ”の構成情報は、ＡＬＰＨＡ−ＳＩというサービス要素に連結される。ここで、ＴＭＣは、交通メッセージチャンネルであって、リアルタイム交通情報を送るチャンネルである。
【００３１】
このようなサービス及びサービス要素の構造は、ＭＣＩを参照して得られる。すなわち、ＭＣＩは、各サービス要素に関する情報を記録しており、受信装置でサービス要素を分析可能にする。例えば、ＡＬＰＨＡ−ＴＭＣというサービス要素をユーザが受信すれば、受信装置は、ＭＣＩを分析し、ＡＬＰＨＡ−ＴＭＣというサービス要素がＦＩＤＣを通じて伝送されるということが分かり、したがって、ＦＩＣ内のＦＩＤＣを読み取ってユーザにサービスを提供しうる。一方、ＦＩＤＣは、所定の時間内に伝送されねばならない少量のデータ伝送に使われる。
【００３２】
それぞれのサブチャンネルにサービス要素が含まれて伝送されるので、サブチャンネルの構成は、サービス提供者によって任意に再構成され、一度設定されたサブチャンネル構成は、チャンネル容量の変化やサービス変更によって新たに再構成される。もし、サブチャンネル構成情報またはサービスが変更される場合には、新たなＭＣＩを予め伝送して、変更されたサービスを受信装置が受信しうる。
【００３３】
図３は、多重構造からなるコンテンツを選択するものとアンサンブル、サービス及びサービス要素に関する構成情報を保存しているＦＩＧとを示す図である。
【００３４】
ＦＩＧは、ＦＩＣで一つのアプリケーションで使われるデータの束である。図３を参照するに、一つのサービスには、複数のサービス要素が存在し、サブチャンネルＩＤまたはサービス要素ＩＤに対応するサブチャンネルに含まれて伝送される複数のアプリケーションを提供されるということが分かる。ＤＡＢでは、ＦＩＣを使用してこのようなサービス構成を記述する。したがって、ユーザが選択したサービスを受けるためには、ＦＩＣのＭＣＩを通じて該当サービスがどこに伝送されているか、そしてそのチャンネルの大きさについての情報（この情報が、結局、サブチャンネルについての情報である）を通じてユーザが所望のサービスを見せるか、または表示しうる。ＦＩＧは、このＦＩＣを構成するＦＩＢをなすものであって、該当ＦＩＧを解析すれば、サービスに関する情報が分かる。
【００３５】
図４は、ＤＡＢ伝送フレームの構造を示す図である。
【００３６】
ＤＡＢ伝送フレームは、同期チャンネル（Ｓｙｎｃｈｒｏｎｉｚａｔｉｏｎ  Ｃｈａｎｎｅｌ：ＳＣ）４１０、ＦＩＣ（Ｆａｓｔ  Ｉｎｆｏｒｍａｔｉｏｎ  Ｃｈａｎｎｅｌ）４２０及びＭＳＣ（Ｍａｉｎ  Ｓｅｒｖｉｃｅ  Ｃｈａｎｎｅｌ）４３０で構成されている。
【００３７】
ＳＣ  ４１０は、伝送モードを決定できるＮＵＬシンボルとＯＦＤＭシンボル同期及び搬送波周波数同期に必要な参照シンボルで構成される。ＦＩＣ  ４２０は、受信装置がデータを処理するために必要な情報、例えば、サービスの構成、多重化された形態に関する情報を伝送するか、速く伝送される必要のあるデータを伝送するのに使われるチャンネルである。ＦＩＣ  ４２０には、それぞれのサブチャンネルの構造についての情報を含んでいるＭＣＩ、そして、それぞれのサービスについての付加情報であるＳＩを含んでいる。したがって、このチャンネルを確認すれば、ＭＳＣを通じてどんなサービスのデータが伝送されているか、そしてサービスがいかなるアプリケーションによって使われるかが分かる。また、ＦＩＣ  ４２０には、所定時間内に速く伝送されねばならないデータも含んでいる。例えば、非常状況に対する簡単なメッセージは、ＦＩＣ  ４２０を通じて伝送される。ＦＩＣ  ４２０を構成するＦＩＢについは、図８を参照して後述する。
【００３８】
ＭＳＣ  ４３０は、サービス提供者が提供した実際コンテンツデータを伝送する。ＭＳＣ  ４３０には、ＦＩＣ  ４２０の空間が不足する場合、ＦＩＣデータの一部を載せれるが、ＭＳＣ
４３０は、タイムインターリービングが適用されて復号に多少の遅延時間がかかるので、速く伝送されねばならないＦＩＣデータは、含めることができない。データを伝送する方式には、ストリームモードまたはパケットモードがある。ストリームモードは、与えられたサブチャンネル内に付加ヘッダなしにデータのみを送る方式であって、固定ビットレートで伝送する。パケットモードは、データ以外にヘッダを追加して伝送することによって、与えられたサブチャンネル内に複数のサービス要素を多重化しうる。したがって、この部分の実際データを取り出すためには、パケットのヘッダを分析する過程が追加される。
【００３９】
図５は、ビデオサービスを提供するためのビデオサービスエンコーダの詳細ブロック図である。
【００４０】
ビデオ信号は、ビデオエンコーダ５０２によってエンコーディングされ、オーディオ信号は、オーディオエンコーダ５０４によってエンコーディングされ、付加データ信号は、付加データエンコーダ５０６によってエンコーディングされる。
【００４１】
このとき、ＤＡＢのパケットモードによって伝送された文字情報、交通情報、静止画像、ウェブ情報などのパケットモードデータも、付加データとして使われ、これらは、該当規格のパケット化された形態で使われる。このＤＡＢのパケットモードデータとして伝送されたパケットデータがビデオサービスの付加データとして伝送される場合には、ビデオサービスエンコーダに備えられたエラー強化部を通じてエラー訂正機能が行われて、チャンネルエラーに強い伝送を行えるため、既存のパケットモードを通じて伝送する場合より伝送エラーを減らすことができる。
【００４２】
ビデオエンコーダ５０２は、入力されたビデオ信号をいかなる方法でエンコーディングしたかという情報を記録する。例えば、ＭＰＥＧ−４ビデオコーディング方法によってエンコーディングしたとすれば、入力画像のサイズ及びＭＰＥＧ−４プロファイル情報とレベル情報とをエンコーディングされたビデオストリームのヘッダに記録する。そして、このようなビデオエンコーディングに関する情報をパラメータ化して出力する。また、オーディオエンコーダ５０４も同様に、入力されたオーディオ信号をいかなる方法でエンコーディングしたかという情報を記録する。例えば、ＭＰＥＧ−４オーディオコーディング方法によってエンコーディングしたとすれば、入力オーディオのサンプリングレート、チャンネル数などの情報をエンコーディングされたオーディオストリームのヘッダに記録する。そして、これらのオーディオエンコーディングに関する情報をパラメータ化して出力する。
【００４３】
そして、付加データエンコーダ５０６も入力された付加データ信号の文字情報、交通情報、静止画像、ウェブ情報などのパケットモードデータ、またはエンコーディングされた一般的な付加データがどんな種類のデータかに関する情報をパラメータ化して出力する。
【００４４】
ビデオサービスエンコーダ１１０は、エンコーディングされたビデオストリーム、エンコーディングされたオーディオストリーム及びエンコーディングされた付加データストリームを受信して、ビデオサービスストリームを作り、これを他のサービスデータと共にＭＳＣ多重化部１４０で多重化してストリームモードを通じて伝送する。ビデオサービスエンコーダ１１０は、時間同期情報挿入部５１０、多重化部５２０及びエラー強化処理部５３０を備える。
【００４５】
時間同期情報挿入部５１０は、エンコーディングされたオーディオストリーム内の音声データ、エンコーディングされたビデオストリーム内の画像データ及び付加データストリームが相互同期されて再生されるように、時間同期情報を挿入する。すなわち、ビデオエンコーダ５０２、オーディオエンコーダ５０４及び付加データエンコーダ５０６は、それぞれ入力されたデータを独立的にエンコーディングするため、これらのエンコーディングされたデータが相互関連されて出力されねばならないとの情報は含んでいないため、時間同期情報が追加的に必要である。時間同期情報の一例として、ＭＰＥＧ−４ＳＬ（Ｓｙｎｃｈｒｏｎｉｚａｔｉｏｎ  Ｌａｙｅｒ）に定義された方法を使用する場合を説明すれば、ＭＰＥＧ−４  ＳＬヘッダに時間同期情報を挿入してエンコーディングされたビデオストリーム、エンコーディングされたオーディオストリーム及びエンコーディングされた付加データストリームのそれぞれに付加する。このような時間同期情報もパラメータ化して出力する。
【００４６】
多重化部５２０は、時間同期情報を含んでエンコーディングされたオーディオストリーム、エンコーディングされたビデオストリーム及び付加データストリームを一つの伝送ストリームに多重化する。色々な方法によって多重化しうるが、ＭＰＥＧ−２  ＴＳによる多重化を一例として説明すれば、１８８バイトにパケット化されたＭＰＥＧ−２  ＴＳパケットを作って多重化する。多重化されたストリームには、そのパケットに載せられたデータのプログラムＩＤであるＰＩＤ（Ｐｒｏｇｒａｍ  ＩＤ）が記録されている。ＰＩＤを含む多重化情報もパラメータ化して出力する。
【００４７】
このように多重化された伝送ストリームは、伝送エラーに対処するために、エラー強化処理部５３０に入力される。エラー強化部処理部５３０は、エラー訂正コーディング部５３２及びインターリーバ５３４を備える。
【００４８】
エラー訂正コーディング部５３２は、伝送されるペイロッドデータの後にエラー訂正データを追加し、インターリーバ５３４は、エラー訂正データが追加されて設けられた伝送ストリームをコンボリューションインターリービング方法を使用して、エラー訂正データが付加された伝送ストリーム内の各バイト位置を再配列する。例えば、多重化されたストリームがＭＰＥＧ−２  ＴＳである場合には、前述したように、一つのＭＰＥＧ−２  ＴＳパケットの大きさは、１８８バイトとなり、この１８８バイトの後にエラー訂正データを追加する。エラー訂正コーディング部５３２は、リード−ソロモンコーディング方法を使用してエラー訂正データを生成し、インターリーバ５３４は、コンボリューションインターリービング方法を使用しうるが、このようなエラー訂正コーディング方法とインターリビング方法とに関する情報も、パラメータ化されて出力される。
【００４９】
このように、エラー強化処理部５３０を通じて処理されたエラー強化ストリームは、ＭＳＣ多重化部１４０によってＤＡＢのＭＳＣに載せられて伝送される。
【００５０】
前述したパラメータ化されて設けられた情報をビデオサービスエンコーディングパラメータと呼び、これは、ビデオサービス制御部５５０に入力される。ビデオサービス制御部５５０は、ビデオサービスエンコーディングパラメータをＦＩＣを通じて伝送するためにＦＩＣ処理部５６０に送り、ＦＩＣ処理部５６０では、このエンコーディングパラメータをコーディングしてＦＩＣチャンネルに載せて伝送する。受信したエンコーディングパラメータのうち、ビデオ信号及びオーディオ信号のエンコーディング情報は、プロファイル化してＦＩＣに記録される。そして、エラー強化処理部５３０で使われたエラー訂正コーディング方式及びインターリービング方式は、ＦＩＧ  ０／２のＤＳＣＴｙ（Ｄａｔａ  Ｓｅｒｖｉｃｅ  Ｃｏｍｐｏｎｅｎｔ  Ｔｙｐｅ）フィールドに記録され、時間同期情報挿入及び多重化関連方法は、ＦＩＧ  ０／１３のユーザアプリケーションフィールドに記録されてＦＩＣを通じて伝送される。エンコーディングパラメータを具体的にどのように記録するかについては後述する。
【００５１】
このようなエンコーディングパラメータは、ビデオサービスを受信機で受信して処理するためにビデオサービスと関連した情報であって、該当デコーダ、逆多重化部を初期化するか、または準備させるのに必要な情報である。言い換えれば、ＭＳＣに含まれたストリームモードデータがビデオサービスなのかを事前に解析できなければならず、該当ビデオサービスを構成するそれぞれのオーディオストリーム、ビデオストリーム及び付加データストリームに使われたエンコーディング方式が多様であるので、どんなエンコーディング方式を使用したかという情報を知らねばならず、また、エラー強化方式のうち、どんな方式が使用されたかも知らねばならない。
【００５２】
整理すれば、ビデオサービスエンコーディングパラメータは、ビデオサービスを構成するビデオストリームのエンコーディング、同期化及びパケット化に関する情報が含まれるだけではなく、受信機のビデオデコーダ初期化に必要な情報が含まれる。また、ビデオサービスを構成するオーディオストリームのエンコーディング、同期化及びパケット化に関する情報が含まれるだけではなく、受信機のオーディオデコーダ初期化に必要な情報が含まれる。ビデオサービスの提供に利用されるストリームモードでは、データの開始と終了とが指定されていないので、データの連続して入力されるパケットデータのうちどこが開始であるかを知らねばならないが、ＭＰＥＧ−２  ＴＳの場合には、０×４７と始まるシンクパターンを探せばよいが、ＭＰＥＧ−２  ＴＳを利用しない場合には、一定のパターンを予めシンクパターンと定め、このシンクパターンを発見すれば、データの開始と判断する。そして、シンクパターンの次には、該当パケットのパケットナンバーまたは最後のパケットであるか否かをさらに付加して、データの終了が分かるようにすることもできる。また、多重化されたストリームの逆多重化に必要な情報として、それぞれのストリームのＰＩＤ、ＰＡＴ（Ｐｒｏｇｒａｍ  Ａｔｔｒｉｂｕｔｅ  Ｔａｂｌｅ）、ＰＭＴ（Ａｄｄｉｔｉｏｎａｌ  Ｍａｐ  Ｔａｂｌｅ）などの情報もビデオサービスエンコーディングパラメータに含まれる。
【００５３】
図５では、ＭＰＥＧ−２ ＴＳパケットを基にしてビデオサービスデータを作って伝送する場合を例としたが、図６では、ＩＰパケット化したビデオサービスデータの提供について説明する。
【００５４】
図６は、ビデオサービスデータをＩＰパケットで構成してビデオサービスを提供するビデオサービスエンコーダの詳細ブロック図である。
【００５５】
ビデオエンコーダ５０２、オーディオエンコーダ５０４及び付加データエンコーダ５０６の構成及び機能は、図５を参照して前述した通りである。
【００５６】
ＲＴＰ（Ｒｅａｌ−ｔｉｍｅ  Ｔｒａｎｓｐｏｔｒ  Ｐｒｏｔｏｃｏｌ）パケッタイザ６１０は、エンコーディングされたビデオストリーム、エンコーディングされたオーディオストリーム及びエンコーディングされた付加データストリームをそれぞれＲＴＰパケットで作る。ＲＴＰパケット化方法に色々なものがあるが、そのうち一つのＲＦＣを選択して、それによりパケット化する。ＲＴＰパケット化が選択された場合に、オーディオＲＴＰパケット、ビデオＲＴＰパケットのペイロッドタイプ値がＲＴＰヘッダに記録され、ＲＴＰヘッダは、ビデオサービスエンコーディングパラメータとして出力される。このように生成されたそれぞれのＲＴＰパケットは、ＵＤＰパケット構成部６２０とＩＰパケット構成部６３０に伝えられる。ＵＤＰパケット構成部６２０は、入力されたＲＴＰパケットにＵＤＰヘッダを付けてＵＤＰパケットに作り、ＩＰパケット構成部６３０は、このように生成されたＵＤＰパケットにＩＰヘッダを付けてＩＰパケットに作る。
【００５７】
このように作られたＩＰパケットは、伝送エラーに対処するために、エラー強化処理部６４０に入力される。ＩＰパケットは、一般的に、可変長を有するので、ＭＰＥＧ−２  ＴＳパケットに適用されたエラー強化方法を利用するためには、ＩＰパケットをＭＰＥＧ−２  ＴＳパケットのように、固定的なサイズに作らねばならない。したがって、ＩＰパケットを切断してＭＰＥＧ−２  ＴＳパケットと同じ形態に作る。または、同期化データ及びペイロッドデータとして１８８バイトを構成するか、またはＩＰパケットを従来のＭＰＥＧ−２
ＴＳ多重化方法によって多重化した後、エラー強化処理部６４０に入力してエラー訂正データを付加する。エラー訂正方法及びインターリビング方法は、ビデオサービスエンコーディングパラメータとして出力される。
【００５８】
このように、エラー強化処理部６４０を通じて処理されたエラー強化ストリームは、ＭＳＣ多重化部１４０によってＤＡＢのＭＳＣに載せられて伝送される。
【００５９】
前述したパラメータ化されて作られた情報をビデオサービスエンコーディングパラメータと呼び、これは、ビデオサービス制御部６５０に入力される。ビデオサービス制御部６５０は、ビデオサービスエンコーディングパラメータをＦＩＣを通じて伝送するためにＦＩＣ処理部６６０に送り、ＦＩＣ処理部６６０では、このエンコーディングパラメータをコーディングしてＦＩＣチャンネルに載せて伝送する。受信したエンコーディングパラメータのうち、ビデオ信号及びオーディオ信号のエンコーディング情報は、プロファイル化してＦＩＣに記録される。そして、エラー強化処理部６４０で使われたエラー訂正コーディング方式及びインターリビング方式は、ＦＩＧ  ０／２のＤＳＣＴｙフィールドに記録され、ＲＴＰパケッタイザ６１０で使われたパケット化情報は、ＦＩＧ  ０／１３のユーザアプリケーションフィールドに記録されてＦＩＣを通じて伝送される。
【００６０】
図７は、同期化データとエラー訂正データとを挿入して生成したＭＰＥＧ−２
ＴＳパケットの構成図である。図７を参照するに、同期化データ７１０とペイロッドデータ７２０とを含んで１８８バイトのＭＰＥＧ−２  ＴＳパケットを作り、ここにリードソロモンコーディング方法のようなエラー訂正符号化方法によって生成されたエラー訂正データを付加する。
【００６１】
図８は、ＦＩＢの構成図である。ＦＩＣは、ＦＩＢで構成され、それぞれのＦＩＢは、ＦＩＢデータフィールド８１０とＣＲＣフィールド８２０とで構成される。ＦＩＢデータフィールド８１０は、３０バイトであり、これは、再びＦＩＧで構成される。もし、ＦＩＢデータフィールド８１０をＦＩＧデータで何れも満たせない場合には、ＦＩＧデータがそれ以上無いことを受信装置が分かるように、エンドマーカ８３０を挿入した後にＮＵＬデータ８４０をパッディングして２５６ビットのＦＩＢを作る。エンドマーカ８３０の一例としては、“１１１  １１１１１”となりうる。それぞれのＦＩＧには、ＦＩＧデータフィールド８７０に含まれたデータの形式を知らせるＦＩＧ  ｔｙｐｅフィールド８５０とＦＩＧデータフィールド８７０の長さを知らせるレングスフィールド８６０とがヘッダ部に挿入され、次いで、実際データがＦＩＧデータフィールド８７０に含まれる。ＦＩＧ  ｔｙｐｅについての情報やデータのシンタックスは、使われるアプリケーションまたは知らせる情報によって変わる。以下では、本発明のサービス処理と関連したＦＩＧ  ｔｙｐｅのフォーマットについて説明する。
【００６２】
図９は、ＦＩＧ  ｔｙｐｅ  ０の構成図である。ＦＩＧ  ｔｙｐｅ  ０は、現在、そして未来の多重化構成、多重化再構成、時間及び他の基本的なサービス情報を含んでいる。ＦＩＧ  ｔｙｐｅ  ０フィールド９１０には、タイプ０が有しうる色々な拡張字によって異なる情報を含んでいる。
【００６３】
図１０は、ＦＩＧ  ｔｙｐｅ  ０、拡張字２（すなわち、ＦＩＧ  ０／２）の構成図である。ＦＩＧ  ０／２は、ＦＩＧ  ｔｙｐｅ  ０の拡張字２である場合に、図９のＦＩＧ  ｔｙｐｅ  ０フィールド９１０の詳細な構成を示すものであって、サービス構成に関する情報を含んでいる。一つのサービスに適用されるサービスに関する内容記述は、一つのフィールド（サービスフィールドｋ）に含まれている。
【００６４】
これらのフィールドのうち、ＴＭＩｄ  １０１０は、Ｔｒａｎｓｐｏｒｔ  Ｍｅｃｈａｎｉｓｍ  Ｉｄｅｎｔｉｆｉｅｒであって、その値が“０１”である場合、該当サービスコンポーネントがストリームモードデータサービスであることを知らせる。そして、ＤＳＣＴｙ  １０２０は、Ｄａｔａ  Ｓｅｒｖｉｃｅ  Ｃｏｍｐｏｎｅｎｔ  Ｔｙｐｅを表す。ストリームモードを利用するビデオサービスの場合、このＤＳＣＴｙフィールド１０２０を新たに定義する必要があり、本発明では、ビデオサービス構成要素のうち、エラー強化方式が適用されたものであることをこのフィールドに記録する。例えば、リードソロモンエラー訂正コーディング方式ＲＳ（２０４,１８８）と畳み込みインターリービング（１２×１７）とがビデオサービス用ストリームモードに使われ、ＲＳ（２０８,１９２）とブロックインターリービングとがマルチメディアサービス用パケットモードに使われた場合に、これを受信機で区分し、知らせるために、下記のように適用することが望ましい適用例である。
【００６５】
ＤＳＣＴｙ：ｖａｌｕｅ  ｎｎｎｎｎｎ：ビデオサービス用ストリームモード（ＲＳ（２０４,１８８）、ＣＩ（１２×１７））
ＤＳＣＴｙ：ｖａｌｕｅ ｍｍｍｍｍｍ：マルチメディアサービス用パケットモード（ＲＳ（２０８,１９２）、ブロックインターリービング）
図１１Ａは、ＦＩＧ  ｔｙｐｅ  ０、拡張字１３（すなわち、ＦＩＧ  ０／１３）のユーザ応用フィールドの詳細構成図である。
【００６６】
ＦＩＧ  ０／１３は、ＤＡＢ受信機のサービスデコーダで必要なデータを記録している。ＦＩＧ  ０／１３のフィールドのうちユーザ応用タイプフィールド１１１０は、該当サービスＩＤ（ＳＩｄ）に対応するデータのデコーディングに使用するユーザ応用モジュールを知らせる。ストリームモードを使用するビデオサービスの場合には、このユーザ応用タイプフィールド１１１０をビデオサービスと定義することが望ましい。
【００６７】
そして、ユーザ応用データフィールド１１２０には、ビデオサービスの場合に使われたエンコーディング方式、パケット及び多重化方式、文字情報、交通情報、静止画像、ウェブ情報などのパケットモードデータが付加データとして使われた場合、ＤＡＢ規格で定義した各パケットモード用ユーザプログラムタイプに関する情報を含める。すなわち、ユーザ応用タイプフィールド１１１０には、ビデオサービスということを記録し、ユーザ応用データフィールド１１２０には、後述する図１２のようなフォーマットで作られたエンコーディングパラメータが記録される。
【００６８】
一方、ＦＩＧ  ｔｙｐｅ  ０の拡張字を新たに定義してビデオサービスエンコーディングパラメータを記録しうる。この場合には、図１１Ｂのように、ユーザ応用フィールドを作る。
【００６９】
図１１Ｂは、新たに定義されたビデオサービスエンコーディングパラメータ用ＦＩＧの例を示す図である。
【００７０】
ユーザ応用フィールドの最前方には、１６ビットのサービスＩＤ（ＳＩｄ）を記録し、以後に図１２のようなフォーマットで作られたエンコーディングパラメータが記録される。これにより、ビデオサービスエンコーディングパラメータ専用のＦＩＧを具現しうる。
【００７１】
図１２は、プロファイル情報及びその他の情報を含んで作ったエンコーディングパラメータ及びパケット化情報を含むデータ構成図である。
【００７２】
エンコーディングパラメータ及びパケット化関連情報は、プロファイルＩＤとビデオ及びオーディオに関するパケット化情報を含む。以下では、プロファイルＩＤに関して詳細に説明する。例えば、ビデオエンコーディングに使われたコーディング方式がＭＰＥＧ−４  ＡＶＣ（Ａｄｖａｎｃｅｄ  Ｖｉｄｅｏ  Ｃｏｄｉｎｇ）であり、オーディオエンコーディングに使われたコーディング方式がＭＰＥＧ−４  ＢＳＡＣ（Ｂｉｔ  Ｓｌｉｃｅｄ  Ａｒｉｔｈｍｅｔｉｃ  Ｃｏｄｉｎｇ）であり、パケット及び多重化方式がＭＰＥＧ−４
ＳＬ（Ｓｙｎｃ  Ｌａｙｅｒ）を使用したＭＰＥＧ−２  ＴＳである場合には、個別的にビデオ、オーディオ、パケット及び多重化方式を一つずつユーザ応用データフィールドに記録せず、プロファイル化された次の表１のように決まったインデックス値である０×００値をプロファイルＩＤフィールドに記録する。
【００７３】
【表１】
2009518937.tif 000003
ビデオサービスエンコーディングパラメータ情報は、ＦＩＣのうちＦＩＧ  ０／８及びＦＩＧ  ０／１３に含まれているが、受信機でこの情報を利用してビデオサービスを処理することは、受信装置のビデオサービス制御部が行う。
【００７４】
プロファイル情報とその他の情報とをそれぞれ分離して別個のＦＩＧに割り当てて、２個以上の他のＦＩＧにエンコーディングパラメータ、パケット化関連情報を分けて記録しうる。そして、このような情報は、放送で電子プログラムガイド（ＥＰＧ：Ｅｌｅｔｒｏｎｉｃ  Ｐｒｏｇｒａｍ  Ｇｕｉｄｅ）を提供する時に必須情報として提供させることもある。これにより、ビデオサービスのエンコーディングパラメータ及びパケット化情報を解析して、受信機が処理可能なサービスであるか否かが予め分かる。
【００７５】
一方、プロファイルＩＤと共に、該当ビデオサービスの種類がニュースなのか、教育プログラムなのかを共にユーザ応用データフィールドに記録することによって、受信機は、追加的に現在受信したビデオサービスを種類別に区分し、これをユーザに追加的な情報として提供できる。例えば、ユーザが受信機に現在受信されているビデオサービスのうちニュースの視聴を所望する場合、ＦＩＣを通じて受信された情報を通じて、現在受信可能なプログラムのうちニュースに該当するプログラムのみを羅列させることが可能である。
【００７６】
図１３は、これを具現するためのフレーム構造を示す図である。図１３に示されたように、プロファイルＩＤフィールドの後に５ビットのフィールドを使用して提供されるビデオサービスの種類を、例えば、提供されるプログラムがどんなタイプなのかを特定する。このために使われるビットは、図１３に示されたように、５ビットのフィールドを使用することもでき、選択的に所定の長さのフィールドを使用することも可能である。
【００７７】
図１４は、本発明に使われるプログラムタイプコードテーブルを示す図である。５ビットのフィールドを使用する場合には、図１４に示されたように、ヨーロッパ電気通信標準協会での規格で使われるテーブルイン、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）ＴＳ  １０１  ７５６のテーブルと同じ値を使用しうる。このように、ビデオサービスのプログラムを特定するためのテーブルを既存のＤＡＢ用プログラムタイムテーブルを使用することによって、オーディオ／ビデオサービスタイプに対して公用して使用することによって、受信機のメモリをさらに効率的に使用しうるという効果がある。または、選択的にビデオサービスのためのプログラムタイプテーブルを別途に定義して使用することも可能である。
【００７８】
図１５は、ビデオサービスを受信するＤＡＢシステムの受信側構成図である。ＤＡＢ受信装置は、ＯＦＤＭ変調された信号をチューナ１５１０を通じて受信し、ＯＦＤＭ復調器１５２０を通じて復調してＤＡＢ伝送フレームに作る。
【００７９】
チャンネルデコーダ１５３０は、ベースバンドデコーダ１５３２及びＯＦＤＭチャンネルデコーダ１５３４を備える。チャンネルデコーダ１５３０は、ＦＩＣデータをパーシングしてサービスリストを生成してユーザに見せる。
【００８０】
ＦＩＣデータには、前述したようなビデオサービスエンコーディングパラメータ及びパケット化情報が含まれており、ＦＩＣデータを解析すれば、いかなるサービスが提供されるかが分かるだけではなく、そのサービスを構成するデータがいかなる方法によってエンコーディングされており、パケット化されているかが分かる。
【００８１】
また、ＦＩＣデータには、提供されるビデオサービス種類を特定するプログラムタイプ情報が保存されている。チャンネルデコーダ１５３０は、プログラムタイプ情報を解析して提供されるビデオサービスのタイプを解析する。
【００８２】
制御部１５８０は、チャンネルデコーダ１５３０で解析されたビデオサービスタイプを付加データデコーダ１５７０に伝送し、ＤＡＢ受信機のディスプレイ部（図示せず）を通じてユーザに示す。
【００８３】
一方、ユーザが一つのサービスを選択すれば、それによるサービスデータをＭＳＣ逆多重化部１５４０が抽出して出力する。ビデオサービスをユーザが選択すれば、ビデオサービスを構成するエンコーディングされたビデオストリーム、エンコーディングされたオーディオストリーム及びエンコーディングされた付加データストリームは、それぞれビデオデコーダ１５５０、オーディオデコーダ１５６０及び付加データデコーダ１５７０に伝えられてデコーディングされる。
【００８４】
制御部１５８０は、ビデオサービスエンコーディングパラメータ情報及びパケット化情報によって各構成部を制御する。
【００８５】
図１６は、ビデオサービス制御部の詳細構成図である。
【００８６】
ビデオサービス制御部は、サービス情報解析部１６１０、ビデオサービスエンコーディング情報解析部１６２０、ビデオサービスデコーダ駆動部１６３０を備える。
【００８７】
サービス情報解析部１６１０は、図１０を参照して説明したＦＩＧ  ０／２を解析して現在提供されるサービスを示し、ユーザが一つのビデオサービスを選択すれば、選択したサービスと関連したサブチャンネル及びサービス要素に関する情報を解析する。
【００８８】
ビデオサービスエンコーディング情報解析部１６２０は、ビデオサービスのエラー強化方式は、ＦＩＧ  ０／２のＤＳＣＴｙを通じて解析し、ビデオサービスに使われたビデオサービスデコーダ方式は、ＦＩＧ  ０／１３のユーザ応用タイプとユーザ応用データとを通じて解析する。この解析を通じて分かったビデオサービスエンコーディング情報を基にして、ビデオサービスデコーダ駆動部１４３０は、エラー強化部を備えるビデオサービスデコーダを駆動する。
【００８９】
図１７Ａ及び図１７Ｂは、本発明によるＤＡＢでのストリームモードを通じたビデオサービスエンコーディング情報及びパケット構成情報を参照して、ビデオサービスを送信する方法に関するフローチャートである。
【００９０】
ビデオサービス関連エンコーディング音声、動画、付加データを外部から受信するか、またはビデオサービスエンコーダ内に個別的に含まれているオーディオエンコーダ及びビデオエンコーダによってエンコーディングされたオーディオ及びビデオデータを伝達され（Ｓ１７１０）、円滑なビデオサービスのために同期時間情報部が及びビデオサービスストリーム多重化を行い（Ｓ１７２０）、エラー強化部を通じてエラー訂正データ付加及び畳み込みインターリービングを行う（Ｓ１７３０）。エラー強化されたストリームをチャンネルコーディング（Ｓ１７４０）した後に多重化し（Ｓ１７５０）、ＭＳＣに記録し（Ｓ１７６０）、ビデオサービスエンコーディングパラメータが含まれたＦＩＣと共にＤＡＢ伝送フレームに記録して伝送する（Ｓ１７６５）。
【００９１】
一方、これと関連したビデオサービスエンコーディングパラメータ情報及びパケット構成情報を受信し（Ｓ１７７０）、該当ＦＩＧフィールドに記録し（Ｓ１７８０）ＦＩＣに載せる（Ｓ１７９０）。すなわち、提供されるビデオサービスを受信装置でビデオサービスの円滑な処理に必要な情報を、サービスデータチャンネルのＭＳＣとは異なるＦＩＣに含める。ＦＩＣは、ＦＩＢで構成されており、ＦＩＢはまた、複数個のＦＩＧで構成されているので、本発明では、ＦＩＧ  ０／８とＦＩＧ  ０／１３とにフィールドを修正及び新たに定義し、新たに定義されたＦＩＧ  ０／８とＦＩＧ  ０／１３とにビデオサービスエンコーディングパラメータ情報及びパケット構成情報を含める。このように作られたビデオサービスエンコーディングパラメータ情報は、ＭＳＣと共に多重化してＤＡＢ伝送フレームに作って伝送する（Ｓ１７９５）。ＦＩＧ  ０／８及びＦＩＧ  ０／１３の構成は、前述した通りである。
【００９２】
また、Ｓ１７９５では、選択的に、本発明では、このようなＦＩＧのユーザ応用データフィールドにプログラムＩＤと共に提供されるビデオサービスの種類を表すプログラムタイプ情報をＭＳＣと共に多重化してＤＡＢ伝送フレームに作って伝送する。
【００９３】
図１８は、本発明によるＤＡＢ受信装置でのビデオサービスエンコーディング情報及びパケット構成情報を参照して、ビデオサービスを受信する方法に関するフローチャートである。
【００９４】
ＤＡＢ伝送フレームを受信し（Ｓ１８０５）、ユーザが選択したサービスと関連したサブチャンネル及びサービス要素に関する情報を解析する（Ｓ１８１０）。
【００９５】
そして、サービスデータチャンネルとは異なるチャンネルであるＦＩＣ内のＦＩＧ  ０／８とＦＩＧ  ０／１３とを解析する（Ｓ１８１５）。前記選択されたビデオサービスの処理に必要なビデオサービスエンコーディングパラメータ情報とパケット構成情報とが分かる（Ｓ１８２０）。
【００９６】
また、提供されるビデオサービスの種類を表すプログラムタイプ情報を解析し、選択的に解析されたプログラムタイプ情報をユーザに提供する。（Ｓ１８２５）
このように解析された情報でもって該当ビデオサービスデコーダを駆動する準備を完了する（Ｓ１８３０）。
【００９７】
そして、受信されたＤＡＢ伝送フレームを逆多重化し（Ｓ１８３５）、そして、該当ＭＳＣの該当サブチャンネルデータをチャンネルデコーディングした後、エラー強化デコーディングを行う（Ｓ１８４０）。そして、ビデオサービスストリームを逆多重化し（Ｓ１８４５）、デパケット化を通じて時間同期情報を抽出し、オーディオ及びビデオデコーダを通じてオーディオ及びビデオデータをデコーディングして（Ｓ１８５０）、その結果を抽出した時間同期情報によってビデオサービス要素として出力する（Ｓ１８５５）。
【００９８】
文字情報、交通情報、静止画像、ウェブ情報などのパケットモードデータからなる付加データも、ビデオサービスエンコーディングパラメータ情報及びパケット化情報によって初期化された該当付加データデコーダを通じてデコーディングまたはデパケット化されて出力される。
【００９９】
以下では、図１９及び図２０を参照して、本発明によるさらに他の実施例を説明する。
【０１００】
ビデオサービスのコンテンツ内容がオーディオ及びビデオデータを対象としているが、実際オーディオが主要素としてサービスされ、ビデオが付加的な情報として活用されるサービスも、ビデオサービスで構成可能である。したがって、ビデオサービスのプログラムの内容は、主要素がオーディオを扱う場合とビデオを扱う場合とを区分する付加的な放送情報を使用することによって、ユーザが提供されるビデオサービスを選択的に再生可能にすることが可能である。
【０１０１】
すなわち、ユーザ応用データフィールドに、プロファイルＩＤと共に、ビデオサービスの主要素がオーディオなのかビデオなのかを区分する情報を、図１９に示したように、プロファイルＩＤの後に位置するフィールドを主コンテンツ情報フィールドとして使用することによって、その目的を達成しうる。例えば、主コンテンツ情報が０である場合には、一般的に、現在受信されたビデオサービスがビデオ放送を主要素とする場合であり、１である場合には、オーディオデータを主要素とするオーディオ放送であることを知らせる。
【０１０２】
これを通じて、受信機で、受信されたビデオサービスストリームがオーディオストリーム、ビデオストリーム、及びデータストリームを含むとしも、放送の主対象がオーディオである場合には、オーディオに分類して、プロファイルＩＤから提供するオーディオデコーダを通じてオーディオデータのみをデコーディングし、ビデオデータは、ユーザが所望する場合にのみ選択的にデコーディングさせることが可能である。これにより、受信機で、データデコーディングのための計算量を減少させることが可能である。
【０１０３】
図２０は、本発明によるＤＡＢ受信装置でのビデオサービスエンコーディング情報及びパケット構成情報を参照して、ビデオサービスを受信する方法に関するフローチャートである。
【０１０４】
ＤＡＢ伝送フレームを受信し（Ｓ２００５）、ユーザが選択したサービスと関連したサブチャンネル及びサービス要素に関する情報を解析する（Ｓ２０１０）。
【０１０５】
そして、サービスデータチャンネルとは異なるチャンネルのＦＩＣ内のＦＩＧ  ０／８とＦＩＧ  ０／１３とを解析する（Ｓ２０１５）。前記選択されたビデオサービスの処理に必要なビデオサービスエンコーディングパラメータ情報とパケット構成情報とが分かる（Ｓ２０２０）。
【０１０６】
また、提供されるビデオサービスの主要素を表す主コンテンツ情報を解析し、選択的に解析された主コンテンツ情報をユーザに提供する。（Ｓ２０２５）
このように解析された情報でもって該当ビデオサービスデコーダを駆動する準備を完了する（Ｓ２０３０）。
【０１０７】
そして、受信されたＤＡＢ伝送フレームを逆多重化し（Ｓ２０３５）、そして該当ＭＳＣの該当サブチャンネルデータをチャンネルデコーディングした後、エラー強化デコーディングを行う（Ｓ２０４０）。そして、ビデオサービスストリームを逆多重化する（Ｓ２０４５）。
【０１０８】
Ｓ２０５０では、Ｓ２０２５で解析された主コンテンツ情報が、提供されたビデオサービスの主要素がオーディオであるか、またはビデオであるかを判断する。
【０１０９】
主要素がオーディオである場合には、プロファイルＩＤから提供されるオーディオデコーダを通じてオーディオデータのみをデコーディングする（Ｓ２０６０）。次いで、デコーディングされたオーディオデータを抽出した時間情報によって、ビデオサービス要素として出力する（Ｓ２０６５）。
【０１１０】
主要素がビデオである場合には、オーディオデータ及びビデオデータに対してデコーディングを行う（Ｓ２０７０）。次いで、デコーディングされた結果を抽出した時間情報によってビデオサービス要素として出力する（Ｓ２０７５）。
【０１１１】
選択的に、判断された主要素がオーディオである場合にも、ユーザの選択によってオーディオデータ及びビデオデータに対してデコーディングを行い、デコーディングされた結果を抽出した時間情報によってビデオサービス要素として出力させることも可能である。
【０１１２】
一方、前述したビデオサービスエンコーディングパラメータ及びパケット化情報を含むビデオサービスの制御方法は、コンピュータプログラムで作成可能である。前記プログラムを構成するコード及びコードセグメントは、当該分野のコンピュータプログラマによって容易に推論される。また、前記プログラムは、コンピュータで読み取り可能な情報記録媒体に保存され、コンピュータによって読み取られて実行されることによって、ビデオサービスエンコーディングパラメータ及びパケット化情報を含むビデオサービスの制御方法を具現する。前記情報記録媒体は、磁気記録媒体、光記録媒体、及びキャリアウェーブ媒体を含む。
【０１１３】
以上、本発明についてその望ましい実施例を中心に説明した。当業者は、本発明が本発明の本質的な特性から逸脱しない範囲で変形された形態で具現しうるということ分かるであろう。したがって、開示された実施例は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【図面の簡単な説明】
【０１１４】
【図１】ビデオサービスを提供するＤＡＢシステムの送信側構成図である。
【図２】一つのＤＡＢアンサンブルを構成するサービス要素とサブチャンネルとの構成の一例を示す図である。
【図３】多重構造からなるコンテンツを選択するものと、アンサンブル、サービス及びサービス要素に関する構成情報を保存している高速情報グループとを示す図である。
【図４】ＤＡＢ伝送フレームの構造を示す図である。
【図５】ビデオサービスを提供するためのビデオサービスエンコーダの詳細ブロック図である。
【図６】ビデオサービスデータをＩＰパケットで構成してビデオサービスを提供するビデオサービスエンコーダの詳細ブロック図である。
【図７】同期化データとエラー訂正データとを挿入して生成したＭＰＥＧ−２ＴＳパケットの構成図である。
【図８】ＦＩＢの構成図である。
【図９】ＦＩＧ  ｔｙｐｅ  ０の構成図である。
【図１０】ＦＩＧ  ０／２の構成図である。
【図１１Ａ】ＦＩＧ  ０／１３のユーザ応用フィールドの詳細構成図である。
【図１１Ｂ】新たに定義されたビデオサービスエンコーディングパラメータ用ＦＩＧの例を示す図である。
【図１２】プロファイル情報及びその他の情報を含んで作った、エンコーディングパラメータ及びパケット化情報を含むデータ構成図である。
【図１３】本発明に適用されるフレーム構造を示す図である。
【図１４】本発明に使われるプログラムタイプコードテーブルを示す図である。
【図１５】ビデオサービスを受信するＤＡＢシステムの受信側構成図である。
【図１６】ビデオサービス制御部の詳細構成図である。
【図１７Ａ】本発明によるビデオサービスを送信する方法に関するフローチャートである。
【図１７Ｂ】本発明によるビデオサービスを送信する方法に関するフローチャートである。
【図１８】本発明によるＤＡＢ受信装置でのビデオサービスを受信する方法に関するフローチャートである。
【図１９】本発明に適用されるフレーム構造を示す図である。
【図２０】本発明によるＤＡＢ受信装置でのビデオサービスを受信する方法に関するフローチャートである。
【図１】
2009518937.tif 000004
【図２】
2009518937.tif 000005
【図３】
2009518937.tif 000006
【図４】
2009518937.tif 000007
【図５】
2009518937.tif 000008
【図６】
2009518937.tif 000009
【図７】
2009518937.tif 000010
【図８】
2009518937.tif 000011
【図９】
2009518937.tif 000012
【図１０】
2009518937.tif 000013
【図１１Ａ】
2009518937.tif 000014
【図１１Ｂ】
2009518937.tif 000015
【図１２】
2009518937.tif 000016
【図１３】
2009518937.tif 000017
【図１４】
2009518937.tif 000018
【図１５】
2009518937.tif 000019
【図１６】
2009518937.tif 000020
【図１７Ａ】
2009518937.tif 000021
【図１７Ｂ】
2009518937.tif 000022
【図１８】
2009518937.tif 000023
【図１９】
2009518937.tif 000024
【図２０】
2009518937.tif 000025
【国際調査報告】
2009518937.tif 000026